(57)【特許請求の範囲】
【請求項１】
ケース本体内に形成されたベルト室内に、入力側プーリーと出力側プーリー間にベルトが掛装されてなる無段変速機が内装され、前記ベルト室内に吸気通路を介し外気を導入させて内部を冷却するように構成し、出力側プーリーのプーリー軸の外周にベルト室冷却用のファンが設けられてなる乾式無段変速機において、前記ケース本体の前記出力側プーリー軸を支持するボス部の外周には、前記ベルト室に連通して前記ファンの中心部に外気を吸い込ませるための複数の連通口がケース体の外側の吸気通路を構成する凹部に形成されているとともに、該凹部における前記連通口の外側に円弧状の円弧立壁を立設させて、前記凹部の外周フランジと前記円弧立壁との間の隙間に吸音材を嵌合させたことを特徴とする乾式無段変速機の冷却構造。
【請求項２】
前記凹部には外側より、大径凹部と導入凹部とが連通状に形成されて該導入凹部に吸気口を有する半割り状のカバー体を気密状に覆蓋させ、前記凹部と前記カバー体間に吸気通路を形成するとともに、前記カバー体の内周面には吸音材を貼着し、かつ該カバー体の凹部側開口には全面にフィルターを設けたことを特徴とする請求項１に記載の乾式無段変速機の冷却構造。
【発明の詳細な説明】
【０００１】
【産業上の利用分野】
この発明は、乾式無段変速機の冷却構造に関するものである。
【０００２】
【従来の技術及びその課題】
従来、乾式無段変速機は、内部に外気を導入して、その外気により冷却するように構成されており、内部でファンを回転させて冷却するのであるが、従来においては、ファンの回転により効率よく外気を吸い込ませ冷却することが難しいという問題点があった。
【０００３】
【課題を解決するための手段】
本発明は上記従来の問題点に鑑み、効率よく外気を導入して冷却できる乾式無段変速機の冷却構造を提供せんことを目的とし、その第１の要旨は、ケース本体内に形成されたベルト室内に、入力側プーリーと出力側プーリー間にベルトが掛装されてなる無段変速機が内装され、前記ベルト室内に吸気通路を介し外気を導入させて内部を冷却するように構成し、出力側プーリーのプーリー軸の外周にベルト室冷却用のファンが設けられてなる乾式無段変速機において、前記ケース本体の前記出力側プーリー軸を支持するボス部の外周には、前記ベルト室に連通して前記ファンの中心部に外気を吸い込ませるための複数の連通口がケース体の外側の吸気通路を構成する凹部に形成されているとともに、該凹部における前記連通口の外側に円弧状の円弧立壁を立設させて、前記凹部の外周フランジと前記円弧立壁との間の隙間に吸音材を嵌合させたことである。
また、第２の要旨は、前記凹部には外側より、大径凹部と導入凹部とが連通状に形成されて該導入凹部に吸気口を有する半割り状のカバー体を気密状に覆蓋させ、前記凹部と前記カバー体間に吸気通路を形成するとともに、前記カバー体の内周面には吸音材を貼着し、かつ該カバー体の凹部側開口には全面にフィルターを設けたことである。
【０００４】
【実施例】
以下、本発明の実施例を図面に基づいて説明する。
図１は、乾式無段変速機の断面構成図であり、ケース本体１の内側には乾式無段変速機２が内蔵されたベルト室Ｓが形成されており、前記乾式無段変速機２は、エンジン側から電磁パウダークラッチを介し駆動力が伝えられる入力側プーリー軸３に一対の離接可能な入力側プーリー４が設けられており、また一方、入力側プーリー軸３と平行状に出力側プーリー軸５が配設され、この出力側プーリー軸５にも離接可能な一対のプーリーからなる出力側プーリー６が設けられ、前記入力側プーリー４とこの出力側プーリー６間にはベルト７が掛装されて、回転力を無段階に変速できるように構成されている。
【０００５】
前記ケース本体１には、前記入力側プーリー軸３を支持するベアリング８を備えた入力側ボス部１ａが形成されているとともに、前記出力側プーリー軸５を支持するベアリング９を備えた出力側ボス部１ｂが形成されており、本例におけるケース本体１の前記出力側ボス部１ｂの外側には図３の斜視図で示すように凹部１ｃが形成され、この凹部１ｃの外周は外側へ突出するフランジ部１ｅとなっており、この凹部１ｃにおける前記出力側ボス部１ｂのベアリング９の外周側には、複数の連通口１ｄ，１ｄ，１ｄがベアリング９を囲むようにそれぞれ貫通形成されており、この連通口１ｄの外側には円弧状の円弧立壁１ｆ，１ｆが立設され、この円弧立壁１ｆと前記フランジ部１ｅの内周間には隙間Ｍが形成され、この隙間Ｍ内には吸音材を嵌合させることができ、吸音材を前記連通口１ｄ，１ｄ，１ｄの外周側に配置させて吸音させるように構成されている。
【０００６】
このケース本体１の凹部１ｃの外側にはカバー体１１が覆設されるものであり、カバー体１１は図４の斜視図、及び図５の断面図で示すような構成で、樹脂で形成されたものとなっており、前記ケース本体１のフランジ部１ｅと整合する形状に形成されたフランジ部１１ａが外方向へ突出形成されており、このフランジ部１１ａには所定間隔でボルト孔１１ｅ，１１ｅが貫通形成されたものとなっており、フランジ部１１ａの内側には、凹み状に大径凹部１１ｂと導入凹部１１ｃが連通状に形成されたものとなっており、大径凹部１１ｂは前記ケース本体１の連通口１ｄの外側を覆蓋できるように大径に形成されており、前記導入凹部１１ｃはこれよりも小径の溝状に形成されている。この導入凹部１１ｃの上流端側には外方向へ突出して吸気筒部１１ｄが一体形成されており、この吸気筒部１１ｄの先端に外気を導入できる吸気口１２が開口されている。
【０００７】
また、図５の断面図で示すように、前記大径凹部１１ｂ及び導入凹部１１ｃの底面から前記フランジ部１１ａの内周面全域に亘り吸音材１３が貼設されており、この吸音材１３は、例えば吸音効果の大なる不織布とか発泡ウレタン等で構成されている。また、カバー体１１は図５のように断面が半割り状に形成されたものであり、その図示右側の開口側、即ちフランジ部１１ａ側には全面に亘りフィルター１４が張設されており、このフィルター１４は前記大径凹部１１ｂ及び導入凹部１１ｃの全面を覆うように張設されている。なお、前記フランジ部１１ａの外面にはパッキン１５を予め貼着させておくことができる。
【０００８】
このように構成されたカバー体１１を、前記図３のケース本体１のフランジ１ｅにフランジ部１１ａを整合させて取り付け、フランジ部１１ａのボルト孔１１ｅ，１１ｅ，１１ｅ内にそれぞれボルトを外側より差し込んで、カバー体１１をケース本体１の凹部１ｃの外側に覆蓋状に取り付けることができ、この時に前記パッキン１５を介し両者間の気密性が確保されるものである。
このようにケース本体１の凹部１ｃの外側にカバー体１１を覆蓋させた状態では、前記凹部１ｃとカバー体１１の大径凹部１１ａ及び導入凹部１１ｃ間で相当広い空間を有する吸気通路Ｒが形成されることとなり、この吸気通路Ｒは、その上流端が前記吸気口１２を介し外気と連通され、また、下流端は前記連通口１ｄ，１ｄ，１ｄを介しベルト室Ｓ内と連通されることとなる。
【０００９】
このようにケース本体１の外側にカバー体１１を覆設させて両者間で容積の大なる吸気通路Ｒを形成させることができ、この吸気通路Ｒの内周面には前述した如く吸音材１３が配設されているため、前記吸気口１２から外気が内部に吸入される際に発生する吸気音や連通口１ｄからの吐出音、及びカバー体１１からの放射音が吸音材１３により良好に吸収されて消音効果を発揮することができるものである。また、前述した如く連通口１ｄの外周にも吸音材が嵌め込まれているため、この吸音材によっても消音効果が達成される。
【００１０】
なお、図１に示すように、前記出力側プーリー軸５の前記ベアリング９の外周側にはファンが固設されており、出力側プーリー軸５が回転することによりこのファン１０が回転して、ファン１０の回転により前記吸気通路Ｒを通し外気を吸い込むことができるように構成されており、また、前記連通口１ｄはこのファン１０の中心側に開設されたものとなっている。即ち、複数の連通口１ｄ，１ｄ，１ｄはベアリング９の外周側であって、ファン１０の内周側に貫通形成されたものであり、ファン１０が回転することにより連通口１ｄ，１ｄ，１ｄからファン１０の中心部に向かって外気が吸い込まれることとなり、吸い込まれた外気はファン１０の回転により、ファン１０の中心側から外方向に勢いよく吹き出されてベルト室Ｓ内に強力に外気を循環させることができ、ベルト室Ｓ内をこの外気により良好に冷却することができるものであり、冷却効果を向上させることができるように構成されている。
【００１１】
なお、図２はカバー体１１をケース本体１に取り付けた状態の外観斜視図であり、前記吸気口１２には蛇腹状の吸気ダクト１６を接続することができる。なお、吸気通路Ｒ内に吸気口１２から外気が吸入される際に、吸入される外気はカバー体１１の吸気筒部１１ｄから導入凹部１１ｃを通り大径凹部１１ｂ側に流れ、前記フィルター１４を通して前記ケース本体１の凹部１ｃ側に流れるため、フィルター１４を介し良好にゴミとか砂等を除去して、ベルト室Ｓ内へこれらのゴミが侵入することを良好に防ぐことができる。また、フィルター１４は半割り状のカバー体１１の開口側全面に張設されているため、流れる外気はフィルター１４の全域から前記ケース本体１の凹部１ｃ側に流されるため、極めて広い範囲で外気がケース本体１の凹部１ｃ側に流れ、吸気抵抗が少なく、従来よりも吸気効率が向上したものとなる。
【００１２】
なお、ベルト室Ｓ内の外気を外部に排出するためにケース本体１には排気ダクト１７が接続されており、この排気ダクト１７は図６の斜視図で示すような構造に筒状に樹脂製で形成されたものであり、この排気ダクト１７の内周面にも吸音材１８が貼着されており、この吸音材１８により排気音を良好に減少させることができるものとなっている。また、排気ダクト１７の下流端の出口側にはメッシュ１９が張設されており、このメッシュ１９により排気ダクト１７内へ外側からゴミとか砂等が侵入することが良好に防がれており、また、同時に排気ダクト１７内の吸音材１８が外側へ飛び出すことをこのメッシュ１９により防いでおり、メッシュ１９により吸音材１８が外に飛び出すことはない。なお、排気ダクト１７の上流端にはケース本体１に取り付けるためのボルト孔１７ｂを有する取付部１７ａが一体形成されており、この取付部１７ａ側にもメッシュ２０を設けておけば、吸音材１８のケース本体１内への侵入を防ぎ、また、ゴミ等の侵入をより良好に防ぐことができるものとなる。
【００１３】
【発明の効果】
本発明は、ケース本体内に形成されたベルト室内に、入力側プーリーと出力側プーリー間にベルトが掛装されてなる無段変速機が内装され、前記ベルト室内に吸気通路を介し外気を導入させて内部を冷却するように構成し、出力側プーリーのプーリー軸の外周にベルト室冷却用のファンが設けられてなる乾式無段変速機において、前記ケース本体の前記出力側プーリー軸を支持するボス部の外周には、前記ベルト室に連通して前記ファンの中心部に外気を吸い込ませるための複数の連通口がケース体の外側の吸気通路を構成する凹部に形成されているとともに、該凹部における前記連通口の外側に円弧状の円弧立壁を立設させて、前記凹部の外周フランジと前記円弧立壁との間の隙間に吸音材を嵌合させたことにより、ベルト室内のファンを回転させると、このファンの中心部に連通口から外気が吸い込まれるため、外気をファンの回転力により遠心方向に効率よく循環させてベルト室内を良好に冷却することができ、外気の吸込力が強力となって冷却効率が向上する効果を有する。
また、連通口から内部に吸い込まれる外気の吸気音や連通口からの吐出音を良好に吸音材で消音させることができる効果を有する。
また、凹部には外側より、大径凹部と導入凹部とが連通状に形成されて該導入凹部に吸気口を有する半割り状のカバー体を気密状に覆蓋させ、前記凹部と前記カバー体間に吸気通路を形成するとともに、前記カバー体の内周面には吸音材を貼着し、かつ該カバー体の凹部側開口には全面にフィルターを設けたことにより、フィルターを介し良好にゴミとか砂等を除去して、ベルト室内へこれらのゴミが侵入することを良好に防ぐことができる。また、フィルターは半割り状のカバー体の開口側全面に張設されているため、流れる外気はフィルターの全域からケース本体の凹部側に流されるため、極めて広い範囲で外気がケース本体の凹部側に流れ、吸気抵抗が少なく、従来よりも吸気効率が向上したものとなる。
【図面の簡単な説明】
【図１】  ケース本体内に内装された乾式無段変速機の断面構成図である。
【図２】  ケース本体の外周にカバー体を取り付けた状態の外観斜視図である。
【図３】  カバー体を取り付ける前のケース体の斜視構成図である。
【図４】  カバー体の内側を示す斜視構成図である。
【図５】  カバー体の断面構成図である。
【図６】  排気ダクトの斜視構成図である。
【符号の説明】
１  ケース本体
１ａ  入力側ボス部
１ｂ  出力側ボス部
１ｃ  凹部
１ｄ  連通口
１ｅ  フランジ部
１ｆ  円弧立壁
２  乾式無段変速機
３  入力側プーリー軸
４  入力側プーリー
５  出力側プーリー軸
６  出力側プーリー
７  ベルト
８，９  ベアリング
１０  ファン
１１  カバー体
１１ａ  フランジ部
１１ｂ  大径凹部
１１ｃ  導入凹部
１１ｄ  吸気筒部
１２  吸気口
１３  吸音材
１４  フィルター
１５  パッキン
１７  排気ダクト
１８  吸音材
１９，２０  メッシュ
Ｓ  ベルト室
Ｒ  吸気通路
【図１】
0003663441.tif 000002
【図２】
0003663441.tif 000003
【図３】
0003663441.tif 000004
【図４】
0003663441.tif 000005
【図５】
0003663441.tif 000006
【図６】
0003663441.tif 000007